【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
操作キーを有する操作手段と、
短縮コードに対応する電話番号と電子メールアドレスとを記憶する記憶手段と、
文書を格納する文書記憶手段と、
前記操作手段によって短縮コードが入力された場合において、該短縮コードに対応する電子メールアドレスが前記記憶手段に記憶されているか否か判断し、該電子メールアドレスが記憶されている場合には、前記文書記憶手段に格納されている文書を該電子メールアドレス宛に送信するように制御する制御手段と、
を備えたことを特徴とする通信装置。
【請求項２】
前記送信する文書は、リスト表示された文書から選択された文書であることを特徴とする請求項１に記載の通信装置。
【請求項３】
操作キーを有する操作手段を備えた通信装置の通信方法であって、
短縮コードに対応する電話番号と電子メールアドレスとを記憶する記憶ステップと、
文書を格納する文書記憶ステップと、
前記操作手段によって短縮コードが入力された場合において、該短縮コードに対応する電子メールアドレスを記憶しているか否か判断し、該電子メールアドレスを記憶している場合には、前記文書記憶ステップで格納した文書を該電子メールアドレス宛に送信するように制御する制御ステップとを、前記通信装置に実行させることを特徴とする通信方法。
【請求項４】
前記送信する文書は、リスト表示された文書から選択された文書であることを特徴とする請求項３に記載の通信方法。
【請求項５】
操作キーを有する操作手段を備えた通信装置を制御するコンピュータを、
短縮コードに対応する電話番号と電子メールアドレスとを記憶する記憶手段と、
文書を格納する文書記憶手段と、
前記操作手段によって短縮コードが入力された場合において、該短縮コードに対応する電子メールアドレスが前記記憶手段に記憶されているか否か判断し、該電子メールアドレスが記憶されている場合には、前記文書記憶手段に格納されている文書を該電子メールアドレス宛に送信するように制御する制御手段と、
して機能させるためのプログラム。
【請求項６】
前記送信する文書は、リスト表示された文書から選択された文書であることを特徴とする請求項５に記載のプログラム。
【手続補正２】
【補正対象書類名】明細書
【補正対象項目名】発明の名称
【補正方法】変更
【補正の内容】
【発明の名称】通信装置、通信方法、及びプログラム
【手続補正３】
【補正対象書類名】明細書
【補正対象項目名】０００１
【補正方法】変更
【補正の内容】
【０００１】
本発明は、電子メール送信を簡便な手順で素早く行うことができる通信装置、通信方法、及びプログラムに関する。
【手続補正４】
【補正対象書類名】明細書
【補正対象項目名】０００６
【補正方法】変更
【補正の内容】
【０００６】
ステップＳ６０２において、ユーザにより入力されたコードが短縮コードまたは検索キーであるときは、図８に示すように、短縮コードまたは検索キーが電話帳テーブルに登録されているか否かをチェックし（Ｓ６０８）、登録されていないときは処理を終了する（図７の「エンド」）。ステップＳ６０８において、短縮コードまたは検索キーが電話帳テーブルに登録されている場合には、電子メールアドレスが短縮コードまたは検索キーとともに登録されているかをチェックする（Ｓ６０９）。電子メールアドレスが電話帳テーブルに登録されていないときは、ステップＳ６０４（図７参照）に処理を渡し、電子メールアドレスが電話帳テーブルに登録されているときは、氏名，電話番号とともに、たとえば「電子メールアドレスあり」をディスプレイ６２に表示する（Ｓ６１０）。
【手続補正５】
【補正対象書類名】明細書
【補正対象項目名】００１０
【補正方法】変更
【補正の内容】
【００１０】
本発明は、少ない操作回数で電子メールを素早く送信することができる通信装置、通信方法、及びプログラムを提供することを目的とする。
【手続補正６】
【補正対象書類名】明細書
【補正対象項目名】００１１
【補正方法】変更
【補正の内容】
【００１１】
本発明の通信装置は、操作キーを有する操作手段と、短縮コードに対応する電話番号と電子メールアドレスとを記憶する記憶手段と、文書を格納する文書記憶手段と、上記操作手段によって短縮コードが入力された場合において、該短縮コードに対応する電子メールアドレスが上記記憶手段に記憶されているか否か判断し、該電子メールアドレスが記憶されている場合には、上記文書記憶手段に格納されている文書を該電子メールアドレス宛に送信するように制御する制御手段と、を備えたものである。
また、上記送信する文書は、リスト表示された文書から選択された文書であってよい。
【手続補正７】
【補正対象書類名】明細書
【補正対象項目名】００１２
【補正方法】変更
【補正の内容】
【００１２】
また、本発明の通信方法は、操作キーを有する操作手段を備えた通信装置の通信方法であって、短縮コードに対応する電話番号と電子メールアドレスとを記憶する記憶ステップと、文書を格納する文書記憶ステップと、上記操作手段によって短縮コードが入力された場合において、該短縮コードに対応する電子メールアドレスを記憶しているか否か判断し、該電子メールアドレスを記憶している場合には、上記文書記憶ステップで格納した文書を該電子メールアドレス宛に送信するように制御する制御ステップとを、上記通信装置に実行させるようにしたものである。
また、上記送信する文書は、リスト表示された文書から選択された文書であってよい。
【手続補正８】
【補正対象書類名】明細書
【補正対象項目名】００１３
【補正方法】変更
【補正の内容】
【００１３】
また、本発明のプログラムは、操作キーを有する操作手段を備えた通信装置を制御するコンピュータを、短縮コードに対応する電話番号と電子メールアドレスとを記憶する記憶手段と、文書を格納する文書記憶手段と、前記操作手段によって短縮コードが入力された場合において、該短縮コードに対応する電子メールアドレスが前記記憶手段に記憶されているか否か判断し、該電子メールアドレスが記憶されている場合には、前記文書記憶手段に格納されている文書を該電子メールアドレス宛に送信するように制御する制御手段と、して機能させるためのプログラムである。
また、前記送信する文書は、リスト表示された文書から選択された文書であってよい。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
以上のような本発明の通信装置、通信方法、及びプログラムによれば、少ない操作回数で電子メール送信を簡便な手順で素早く行うことができるという効果を得る。すなわち、本発明の通信装置、通信方法、及びプログラムでは、短縮コードが入力され、その入力された短縮コードに対応する電子メールアドレスを記憶している場合には、格納している文書を、入力された短縮コードに対応する電子メールアドレスへメール送信するので、少ない操作回数で電子メール送信を行うことができる。
【手続補正１２】
【補正対象書類名】明細書
【補正対象項目名】００２１
【補正方法】変更
【補正の内容】
【００２１】
また、電子メール送信に際しては、ダイヤル発信／電子メール送信キー１１２１を押すことにより、電子メール文書を通信部１５から無線通信回線を介して相手方の電子メールアドレスに送信することができる。
【手続補正１３】
【補正対象書類名】明細書
【補正対象項目名】００２７
【補正方法】変更
【補正の内容】
【００２７】
一方、ステップＳ１０２において、入力されたコードが短縮コードである場合、モード変更キー１１２５，ダイヤル発信／メール送信キー１１２１のどちらが押されたかを判断し（Ｓ１０３）、ダイヤル発信／メール送信キー１１２１が押されたときは、短縮コードに対応する電話番号が電話帳テーブルＴＢＬに登録されているか否かをチェックし（Ｓ１０４）、短縮コードに対応する電話番号が電話帳テーブルＴＢＬに登録されていないときは、処理を終了する（「エンド」）。